(57)【要約】【課題】デジタルテレビの市場でＣＰＵが起動しなくなり、映像が出ない場合、ユニットの交換、テレビジョン受信機の交換など多大な工数が発生する。【解決手段】第1のＣＰＵとバス接続される第1の記憶部と第1のブートロムを有し、第1のＣＰＵと専用の線で接続され、取り外し可能な第2の記憶部を有し、さらに前記第1のＣＰＵと接続する第4の記憶部を有し、第2のＣＰＵと接続されるＥＥＰＲＯＭの情報をもとに第２のＣＰＵから第１のＣＰＵにブート制御信号を送り、前記第1のブートロムが前記第1のＣＰＵから情報を入手し、第1の記憶部のデータを第4の記憶部にデータを転送・展開するか、第2の記憶部からデータを転送・展開するかを切り替える。【選択図】図１
2005051465.tif 000002
【特許請求の範囲】
【請求項１】
第１のＣＰＵとバス接続される第１の記憶部と、第１のブートロムと、第４の記憶部とを有する第１のユニットと、前記第１のユニットと接続可能な第２の記憶部と、第２のＣＰＵと接続される第３の記憶部を有する第２のユニットとを備え、前記第３の記憶部の情報を前記第２のＣＰＵが読み出し、前記第１のＣＰＵにブート制御信号を送り、前記第１のブートロムにより起動する前記第１のＣＰＵがその状態を検出し、前記第１の記憶部のデータを前記第４の記憶部にデータを転送・展開するか、前記第２の記憶部からデータを転送・展開するかを切り替えることを特徴とするデジタル放送受信機。
【請求項２】
第１のＣＰＵのポートでブート制御信号を検出する他に、外部の専用デバイスを用いて検出し、前記第１のＣＰＵから外部の専用デバイスへその信号の状態を読みに行く構成を持つことを特徴とする請求項１記載のデジタル放送受信機。
【発明の詳細な説明】
【技術分野】
【０００１】
本発明は、デジタル放送を受信する受信機、例えばデジタル放送テレビジョン受信機、に関するものである。
【背景技術】
【０００２】
近年、デジタル放送が急速に増えてきており、地上波放送もデジタル化の準備が進められている。デジタル放送受信機能は、符号化された映像・音声信号を、デジタルチューナでトランスポートストリーム信号に復調し、ＭＰＥＧ２復号処理を行い、映像信号・音声信号としてディスプレイに表示するものである。
【０００３】
その各種制御については、ディスプレイ用のＣＰＵとは別にデジタル放送受信用の専用ＣＰＵを有し、受信機の起動時にフラッシュメモリからプログラムをＣＰＵのワークメモリに展開して動作させる。その動作はＭＰＥＧ復号などを除くと起動・制御についてはパソコンのアーキテクチャと似ている。従来のデジタル放送を受信する受信機例について図を用いて説明する。
【０００４】
図４は従来の実施例の構成図である。デジタル放送受信機の受信ユニット１２は、第１のＣＰＵ１と、記憶部５、８、１２と、ＭＰＥＧ２復号部１１、フロントエンド復調部１０とを備えている。そしてこの受信ユニット１２と外部検査装置９はコネクタを通して接続されることが可能である。である。１２は受信ユニットである。
【０００５】
外部からのデジタル放送受信信号が入力されると、フロントエンド復調部１０でトランスポートストリーム信号に復調し、ＭＰＥＧ２復号部１１で復号処理を行い、映像信号・音声信号としてディスプレイ（図示せず）に表示する。その制御を行う第１のＣＰＵ１はワークメモリとして第４の記憶部５を持っている。さらに前記第１のＣＰＵの外部バスにはフラッシュメモリなどの第１の記憶部８を有し、さらに拡張可能な検査用のコネクタを有して、外部検査装置９を外部から接続することが可能である。
【０００６】
次に図５を用いて従来のデジタル放送受信機の起動制御を行う方法について説明する。受信機の電源をオンすると、第１のＣＰＵ１のリセット解除を行う。次に外部バスにつなが外部検査装置があるかどうかを判定するブート制御信号を第１のＣＰＵ１に入力する。その信号を元に第１のＣＰＵ１が第１の記憶部８のブートプログラムで動作し、データを転送・展開するか、外部バスにつながる外部検査装置のブートプログラムで動作し、その検査装置のなかにあるデータを転送・展開するかを判定する。
【０００７】
外部検査装置９が接続されている場合、外部バスからつながる外部検査装置９から起動するプログラムは主に工場でハードウエアの検査用のプログラムを起動したり、第１の記憶部８にプログラムをインストールするためのインストールプログラムを動作させるもので、必ずしも受信装置に常に接続されているものでもない。
【特許文献１】特開平０８−９８０９８号公報
【発明の開示】
【発明が解決しようとする課題】
【０００８】
このような構成の場合、市場で第１のＣＰＵ１のプログラムが破壊したときに、外部から起動させる場合、外部検査装置９をお客さまの自宅へ持ち込み、テレビジョン放送受信機のカバーを開けて作業はできない。従って、受信ユニット１２の交換や、テレビジョン受信機本体の交換など非常に大きな工数が発生する。とくにパソコンは１人で運べるが、画像表示装置と一体化した大型のテレビジョン受像機では一人で運べない。
【０００９】
また、ＳＤカードなどの小型メモリカードからプログラムダウンロードするしくみも可能であるが、旧バージョンのソフトが受信ユニット１２で動いていることが条件である。
【００１０】
さらに、内蔵のフラッシュメモリのプログラムなどのデータといっしょにブートプログラムを持つ場合、ブートプログラム自体が壊れる可能性があり信頼性に問題がある。
【課題を解決するための手段】
【００１１】
以上の課題を解決するために本発明のデジタル放送受信機は、２つの外部記憶部の一方からブートするために、受信ユニットのＣＰＵ以外に、他のＣＰＵ、たとえばディスプレイ制御部のＣＰＵからブート制御信号をもらうことにより、ブートさせるデータを格納しているメモリである記憶部を選択する。上記の構成により、非常時に外部小型メモリから、プログラムのブートアップをさせることができることとなる。
【発明の効果】
【００１２】
本発明のデジタル放送受信機において、ひとつのＣＰＵのプログラムが破壊した場合、受信ユニットの交換・テレビジョン受信機の交換などをせずに、もうひとつのＣＰＵでシステムを立ちあげて、受信ユニットのＳＤカードなどの小型メモリカードからハードウエアの検査のほか、プログラムの書込みを行うことができお客さまの自宅で簡単に復帰させることができ、効果大なるところがある。
【発明を実施するための最良の形態】
【００１３】
本発明は、内蔵されたひとつのＣＰＵが破壊した場合でも受信ユニットの交換を行わずとも起動することを可能にするデジタル放送受信機に関するものであり、その具体的な構成例を、以下に図面を用いて説明する。
【００１４】
（実施の形態１）
本発明の一実施例について図面を参照しながら説明する。
【００１５】
図１は本発明のデジタル放送受信機の構成図である。図２は本発明の実施例の動作を説明するためのフローチャートを示す図である。また図３は本発明の実施例のブートロム選択方法の動作を示すための図である。
【００１６】
図１において、デジタル放送受信機は、受信したデジタル放送を復調処理するための受信ユニット１２と、表示装置（図示せず）の制御を行うディスプレイ制御部１３とを備えている。受信ユニット１２は、フロントエンドチューナ部１０と、第１のＣＰＵ１と、記憶部８、５、第１のブートロム６を備える。また、受信ユニット１２は外部コネクタ１４を備え、外部の記憶部３との接続が可能である。
【００１７】
ディスプレイ制御部１３は、第２のＣＰＵ４と、記憶部２を備えており、第２のＣＰＵ４は、受信ユニット１２の第１のＣＰＵ１との間で制御信号の送受信を行っている。
【００１８】
第１のＣＰＵ１と第１の記憶部８、または第１のブートロム６とは高速なバスで接続され、また外部コネクタ１４を介して取り外し可能な第２の記憶部３とが接続される。また第１のＣＰＵ１と接続するワークメモリとして利用する第４の記憶部５を有している。
【００１９】
さらに受信ユニット１２とは別のディスプレイ制御部１３は、第２のＣＰＵ４と、これに接続されるＥＥＰＲＯＭなどの第３の記憶部２とを有している。
【００２０】
この第３の記憶部２の情報をもとに、例えば、受信ユニット１２のプログラムが起動しなくなったときなど、受信ユニットの外部メモリである第２の記憶部からプログラムを起動して、その後、第１の記憶部８にプログラムをインストールしたいときには、第２のＣＰＵ４で第３の記憶部２のデータの一部を書き換える。
【００２１】
データが１のときは第２のＣＰＵ４から第１のＣＰＵ１にＨのブート制御信号７を出力する。制御信号を第１のＣＰＵ１のポートに入力する。第１のＣＰＵ１のブート時、ブート用に割り当てている第１のブートロム６にて起動し、そのブートの処理中に前記ポートの情報を入手し、第１の記憶部８のデータをワークメモリである第４の記憶部５にデータを転送・展開するか、第２の記憶部３からデータを転送・展開するかを切り替える。
【００２２】
図では第１のＣＰＵ１がブート制御信号を検出したが、外部にあるデバイスで検出してもよい。そのときは、第１のＣＰＵが外部のデバイスに状態を読みに行く動作が追加される。
【００２３】
次に図２を用いて実施例の動作をフローチャートとして説明する。
【００２４】
電源オン後、第１のＣＰＵのリセットを解除して、ステップ１として、第２のＣＰＵから出されたブート制御信号で第１のＣＰＵがポートの状態を検出し、ステップ２としてブートロムを選択する。
【００２５】
受信ユニット１２のプログラムが破壊して、動作しない場合には、あらかじめ設定されたブート制御信号によってステップ５に移行し、小型メモリカードなどの第２の記憶部をリードする。
【００２６】
第２の記憶部は常に接続されていない場合があるのでリードして、リードエラーが出たら元へ戻る。リードエラーがなければステップ６にて第２の記憶部からワークメモリである第４の記憶部へデータを転送・展開する。
【００２７】
一方で、通常の起動時はステップ１にて第２のＣＰＵからＬのブート制御信号をだし、第１のＣＰＵで検出したのちステップ３で第１の記憶部から第４の記憶部へデータを転送・展開する。
【００２８】
図３はブートロムの選択方法である。第２のＣＰＵから第１のＣＰＵへ接続されるブート制御信号をポート入力し３秒間検出を行い、その情報をもとにブートする記憶部を選択する。それによってブート選択の誤検出をなくす。
【００２９】
以上のように、本発明のデジタル放送受信機において、ひとつのＣＰＵのプログラムが破壊した場合であっても、受信ユニットの交換・テレビジョン受信機の交換などをせずに、もうひとつのＣＰＵでシステムを立ちあげることができるので、外部からのメンテナンス処理を行う必要がないという効果を奏するものである。
【００３０】
尚、本実施の形態では、受信ユニットのＣＰＵのほかに、ディスプレイ制御部を活用した例を示したが、特にディスプレイ制御部に限る必要はなく、受信ユニットのＣＰＵと信号の送受信が可能で、ブートプログラムを記憶可能な記憶手段を備えるものであれば、本発明と同様の効果を奏するものである。
【産業上の利用可能性】
【００３１】
本発明にかかるデジタル放送受信装置は、一つのＣＰＵのプログラムが破壊した場合でも外部からのメンテナンスを行うことなく立ち上げることを可能視にするため、車載用の表示装置や、移動端末の表示装置などのさまざまなデジタル放送受信機に有用である。
【図面の簡単な説明】
【００３２】
【図１】本発明のデジタル放送受信機の構成を示した図
【図２】同デジタル放送受信機の第１の動作を示す図
【図３】同デジタル放送受信機の第２の動作を示す図
【図４】従来のデジタル放送受信機の構成を示した図
【図５】同デジタル放送受信機の動作を示す図
【符号の説明】
【００３３】
１    第１のＣＰＵ
２    第３の記憶部
３    第２の記憶部
４    第２のＣＰＵ
５    第４の記憶部
６    第１のブートロム
７    ブート制御信号
８    第１の記憶部
９    第５の記憶部
１０    フロントエンド復調部
１１    ＭＰＥＧ２復号部
１２    受信ユニット
１３    ディスプレイ制御部
１４    外部コネクタ
【図１】
2005051465.tif 000003
【図２】
2005051465.tif 000004
【図３】
2005051465.tif 000005
【図４】
2005051465.tif 000006
【図５】
2005051465.tif 000007